【手続補正書】
【提出日】平成26年6月4日(2014.6.4)
【手続補正１】
【補正対象書類名】特許請求の範囲
【補正対象項目名】全文
【補正方法】変更
【補正の内容】
【特許請求の範囲】
【請求項１】
印刷装置に依存しない中間形式の印刷ジョブを生成する仮想プリンタドライバを備える情報処理装置と、前記印刷ジョブを管理するプリントサーバと、印刷装置とを含むプリントシステムであって、
前記プリントサーバは、
前記情報処理装置から受信した前記中間形式の印刷ジョブを記憶する記憶手段と、
前記印刷装置から、前記記憶手段に記憶されている前記中間形式の印刷ジョブに対する印刷設定情報の変更指示を受信する設定変更受信手段と、
前記印刷装置から受信される当該印刷装置のモデル情報に対応するプリンタドライバがインストールされているか否かを判定する判定手段と、
前記判定手段によりインストールされていないと判定された場合に、前記印刷装置のモデル情報に対応するプリンタドライバのインストールの制御を行う制御手段と、
前記印刷設定情報の変更指示に従い、前記インストールされたプリンタドライバがサポートする印刷設定に係る情報に基づいて、前記印刷ジョブの印刷設定情報を更新する更新手段と、
前記印刷装置から印刷要求を受信する印刷要求受信手段と、
前記印刷要求に従って当該中間形式の印刷ジョブと前記更新手段により更新された印刷設定情報に基づいて、前記インストールされたプリンタドライバを用いて前記印刷装置にて印刷可能な形式の印刷ジョブを生成し、当該生成された印刷ジョブを当該印刷装置へ送信するジョブ送信手段と
を有し、
前記印刷装置は、
印刷ジョブを選択する選択手段と、
前記選択手段により選択された印刷ジョブに対する前記印刷設定情報の変更指示を送信する設定変更送信手段と、
前記プリントサーバへ前記印刷ジョブに対する前記印刷要求を送信する印刷要求送信手段と、
前記ジョブ送信手段により送信された印刷ジョブを印刷する印刷手段と
を有することを特徴とするプリントシステム。
【請求項２】
前記プリントサーバの更新手段は、前記情報処理装置から受信したユーザトークンを用いて、設定変更を行うことを特徴とする請求項１に記載のプリントシステム。
【請求項３】
前記印刷設定情報の変更指示には、部数、面付け、カラーモード、ページ集約のうち少なくとも一つの設定変更を含むことを特徴とする請求項１または２に記載のプリントシステム。
【請求項４】
前記印刷装置は、前記プリントサーバからの前記変更指示の応答が、前記印刷設定情報の変更が前記選択された印刷ジョブに適用できないことを示す場合に、警告画面を表示する表示制御手段を更に有し、
前記印刷装置の印刷手段は、前記印刷設定情報の変更指示が前記選択された場合に、当該変更が行われた印刷ジョブを印刷することを特徴とする請求項１乃至３のいずれか一項に記載のプリントシステム。
【請求項５】
印刷装置に依存しない中間形式の印刷ジョブを生成する仮想プリンタドライバを備える情報処理装置と、前記印刷ジョブを管理するプリントサーバと、印刷装置とを含むプリントシステムにおける印刷方法であって、
前記プリントサーバにおいて、
記憶手段が、前記情報処理装置から受信した前記中間形式の印刷ジョブを記憶する記憶工程と、
設定変更受信手段が、前記印刷装置から、前記記憶工程にて記憶されている前記中間形式の印刷ジョブに対する印刷設定情報の変更指示を受信する設定変更受信工程と、
判定手段が、前記印刷装置から受信される当該印刷装置のモデル情報に対応するプリンタドライバがインストールされているか否かを判定する判定工程と、
制御手段が、前記判定工程にてインストールされていないと判定された場合に、前記印刷装置のモデル情報に対応するプリンタドライバのインストールの制御を行う制御工程と、
更新手段が、前記印刷設定情報の変更指示に従い、前記インストールされたプリンタドライバがサポートする印刷設定に係る情報に基づいて、前記印刷ジョブの印刷設定情報を更新する更新工程と、
印刷要求受信手段が、前記印刷装置から印刷要求を受信する印刷要求受信工程と、
ジョブ送信手段が、前記印刷要求に従って当該中間形式の印刷ジョブと前記更新工程において更新された印刷設定情報に基づいて、前記インストールされたプリンタドライバを用いて前記印刷装置にて印刷可能な形式の印刷ジョブを生成し、当該生成された印刷ジョブを当該印刷装置へ送信するジョブ送信工程と
を有し、
前記印刷装置において、
選択手段が、印刷ジョブを選択する選択工程と、
設定変更送信手段が、前記選択工程において選択された印刷ジョブに対する前記印刷設定情報の変更指示を送信する設定変更送信工程と、
印刷要求送信手段が、前記プリントサーバへ前記印刷ジョブに対する前記印刷要求を送信する印刷要求送信工程と、
印刷手段が、前記ジョブ送信工程により送信された印刷ジョブを印刷する印刷工程と
を有することを特徴とする印刷方法。
【請求項６】
印刷装置に依存しない中間形式の印刷ジョブを生成する仮想プリンタドライバを備える情報処理装置と印刷装置と通信するプリントサーバであって、
前記情報処理装置から受信した前記中間形式の印刷ジョブを記憶する記憶手段と、
前記印刷装置から、前記記憶手段に記憶されている前記中間形式の印刷ジョブに対する印刷設定情報の変更指示を受信する設定変更受信手段と、
前記印刷装置から受信される当該印刷装置のモデル情報に対応するプリンタドライバがインストールされているか否かを判定する判定手段と、
前記判定手段によりインストールされていないと判定された場合に、前記印刷装置のモデル情報に対応するプリンタドライバのインストールの制御を行う制御手段と、
前記印刷設定情報の変更指示に従い、前記インストールされたプリンタドライバがサポートする印刷設定に係る情報に基づいて、前記印刷ジョブの印刷設定情報を更新する更新手段と、
前記印刷装置から印刷要求を受信する印刷要求受信手段と、
前記印刷要求に従って前記中間形式の印刷ジョブと前記更新手段により更新された印刷設定情報に基づいて、前記インストールされたプリンタドライバを用いて前記印刷装置にて印刷可能な形式の印刷ジョブを生成し、前記生成された印刷ジョブを前記印刷装置へ送信するジョブ送信手段と
を有することを特徴とするプリントサーバ。
【請求項７】
印刷装置に依存しない中間形式の印刷ジョブを生成する仮想プリンタドライバを備える情報処理装置と印刷装置と通信するプリントサーバにおける制御方法であって、
記憶手段が、前記情報処理装置から受信した前記中間形式の印刷ジョブを記憶する記憶工程と、
設定変更受信手段が、前記印刷装置から、前記記憶工程において記憶されている前記中間形式の印刷ジョブに対する印刷設定情報の変更指示を受信する設定変更受信工程と、
判定手段が、前記印刷装置から受信される当該印刷装置のモデル情報に対応するプリンタドライバがインストールされているか否かを判定する判定工程と、
制御手段が、前記判定工程にてインストールされていないと判定された場合に、前記印刷装置のモデル情報に対応するプリンタドライバのインストールの制御を行う制御工程と、
更新手段が、前記印刷設定情報の変更指示に従い、前記インストールされたプリンタドライバがサポートする印刷設定に係る情報に基づいて、前記印刷ジョブの印刷設定情報を更新する更新工程と、
印刷要求受信手段が、前記印刷装置から印刷要求を受信する印刷要求受信工程と、
ジョブ送信手段が、前記印刷要求に従って前記中間形式の印刷ジョブと前記更新工程において更新された印刷設定情報に基づいて、前記インストールされたプリンタドライバを用いて前記印刷装置にて印刷可能な形式の印刷ジョブを生成し、前記生成された印刷ジョブを前記印刷装置へ送信するジョブ送信工程と
を有することを特徴とする制御方法。
【請求項８】
コンピュータを、
情報処理装置から受信した中間形式の印刷ジョブを記憶する記憶手段、
印刷装置から、前記記憶手段に記憶されている前記中間形式の印刷ジョブに対する印刷設定情報の変更指示を受信する設定変更受信手段、
前記印刷装置から受信される当該印刷装置のモデル情報に対応するプリンタドライバがインストールされているか否かを判定する判定手段、
前記判定手段によりインストールされていないと判定された場合に、前記印刷装置のモデル情報に対応するプリンタドライバのインストールの制御を行う制御手段、
前記印刷設定情報の変更指示に従い、前記インストールされたプリンタドライバがサポートする印刷設定に係る情報に基づいて、前記印刷ジョブの印刷設定情報を更新する更新手段、
前記印刷装置から印刷要求を受信する印刷要求受信手段、
前記印刷要求に従って前記中間形式の印刷ジョブと前記更新手段により更新された印刷設定情報に基づいて、前記インストールされたプリンタドライバを用いて前記印刷装置にて印刷可能な形式の印刷ジョブを生成し、前記生成された印刷ジョブを前記印刷装置へ送信するジョブ送信手段
として機能させるためのプログラム。
【手続補正２】
【補正対象書類名】明細書
【補正対象項目名】０００７
【補正方法】変更
【補正の内容】
【０００７】
上記課題を解決するため、本発明は以下の構成を有する。すなわち、印刷装置に依存しない中間形式の印刷ジョブを生成する仮想プリンタドライバを備える情報処理装置と、前記印刷ジョブを管理するプリントサーバと、印刷装置とを含むプリントシステムであって、前記プリントサーバは、前記情報処理装置から受信した前記中間形式の印刷ジョブを記憶する記憶手段と、前記印刷装置から、前記記憶手段に記憶されている前記中間形式の印刷ジョブに対する印刷設定情報の変更指示を受信する設定変更受信手段と、前記印刷装置から受信される当該印刷装置のモデル情報に対応するプリンタドライバがインストールされているか否かを判定する判定手段と、前記判定手段によりインストールされていないと判定された場合に、前記印刷装置のモデル情報に対応するプリンタドライバのインストールの制御を行う制御手段と、前記印刷設定情報の変更指示に従い、前記インストールされたプリンタドライバがサポートする印刷設定に係る情報に基づいて、前記印刷ジョブの印刷設定情報を更新する更新手段と、前記印刷装置から印刷要求を受信する印刷要求受信手段と、前記印刷要求に従って当該中間形式の印刷ジョブと前記更新手段により更新された印刷設定情報に基づいて、前記インストールされたプリンタドライバを用いて前記印刷装置にて印刷可能な形式の印刷ジョブを生成し、当該生成された印刷ジョブを当該印刷装置へ送信するジョブ送信手段とを有し、前記印刷装置は、印刷ジョブを選択する選択手段と、前記選択手段により選択された印刷ジョブに対する前記印刷設定情報の変更指示を送信する設定変更送信手段と、前記プリントサーバへ前記印刷ジョブに対する前記印刷要求を送信する印刷要求送信手段と、前記ジョブ送信手段により送信された印刷ジョブを印刷する印刷手段とを有する。